(57)【要約】      （修正有）【課題】製造コストや運送コストを低減させた組合せ式収納箪笥を提供する。【解決手段】仕切り層板２０と支持フレーム２１及び引出し２２からなり、仕切り層板２０は、左層板２０１や右層板２０２及び連結部材２０３であり、連結部材２０３の両端の係止縁が、それぞれ、左層板２０１と右層板２０２の内側端の係止溝に挿設されて、左、右層板と連結部材２０３とが、互いに仕切り層板２０に結合される。支持フレーム２１の両端の係止縁が、それぞれ、その一つの仕切り層板の左、右層板の外側端の底面の係止溝ともう一つの仕切り層板の左、右層板の外側端の頂面の係止溝に係止され、仕切り層板２０が、支持フレーム２１により、互いに結合されて収納箪笥の枠の一部になり、また、必要に応じて、より多い支持フレーム２１で、より多い仕切り層板２０を結合すると、収納箪笥の全体枠が完成され、その後、引出し２２を、仕切り層板２０の間にある空間に挿設する。【選択図】図５
0003182614.tif 000002
【実用新案登録請求の範囲】
【請求項１】
仕切り層板と支持フレーム及び引出しからなり、支持フレームの両端の係止縁が、それぞれ、その一つの仕切り層板の外側端の底面に形成されてある係止溝ともう一つの仕切り層板の外側端の頂面の係止縁に係止され、これにより、二つの仕切り層板が結合され、また、他の支持フレームにより、より多い仕切り層板が結合され、収納箪笥の全体構造体が形成された後、各仕切り層板間の空間内に引出しが挿設される組合せ式収納箪笥であって、
仕切り層板が、左層板と右層板及び二つの連結部材からなり、左層板と右層板とが、対応した板体で、左層板の右層板と結合する内側端の前後両側に、それぞれ、係止溝が設けられ、その外側端の頂面と底面の前後両側に、それぞれ、対応して、支持フレームの係止縁が係止される係止溝が設けられ、右層板の左層板と結合する内側端の前後両側に、それぞれ、係止溝が設けられ、その外側端の頂面と底面の前後両側に、それぞれ、対応して、支持フレームの係止縁が係止される係止溝が設けられ、連結部材が、その両端に、それぞれ、係止縁が設けられ、二つの連結部材の両端の係止縁が、それぞれ、左層板内側端の前後係止溝と右層板内側端の前後係止溝に挿設されて、左右層板と二つの連結部材が、一つの仕切り層板に結合される
ことを特徴とする組合せ式収納箪笥。
【請求項２】
仕切り層板の二つの連結部材が、Ｉ字型の一体連結部材であり、その頂部と底部の両側に、それぞれ、係止縁が設けられ、上記両側係止縁が、それぞれ、左層板の内側端の前後係止溝と右層板の内側端の前後係止溝に挿設されることにより、左層板と右層板に結合されることを特徴とする請求項１に記載の組合せ式収納箪笥。
【考案の詳細な説明】
【技術分野】
【０００１】
本考案は、収納箪笥に関するものであり、さらに詳しくは、仕切り層板が、複数の部材からなるものであって、その左右層板が、同一ものであり、モールド及び材料コストの節約可能な組合せ式収納箪笥に関するものである。
【背景技術】
【０００２】
一般の市販の組合せ式収納箪笥１は、例えば、図１と図２に示すように、頂板１０と層板１１、支持フレーム１２及び引出し１３からなるものである。頂板１０が、閉鎖シート体で、その底面の四隅に、それぞれ、係止溝１０１が形成されてある。層板１１が、二つの四角形孔１１０を有するシート体で、その頂面と底面の四隅に、それぞれ、対応する係止溝１１１、１１２が設けられている。支持フレーム１２は、その上下両端に、それぞれ、係止縁１２０、１２１が設けられ、支持フレーム１２の両端にある係止縁１２０、１２１が、それぞれ、頂板１０の底面と層板１１の頂面の係止溝１０１、１１１に係止されるか、それぞれ、層板１１の底面と層板１１の頂面の係止溝１１２、１１１に係止されることにより、頂板１０と各層板１１が、支持フレーム１２により収納箪笥１の構造体に組立てられる。それから、引出し１３を、頂板１０と層板１１や層板１１と層板１１の間の空間内に設置すると、組合せ式収納箪笥１の組合せが終了する。
【０００３】
このような組合せ式収納箪笥１は、製造した後、販売所に運送する前に、図２に示すように、各部材の包装を取り外し、その包装の前に、頂板１０と層板１１とが、重ね合わされ、各引出し１３が、互いに畳み合わせられ、そして、支持フレーム１２を、引出し１３の内部に載置して包装するが、その頂板１０と層板１１が、ともに、一体成型であるため、畳み合うようになり、収納箪笥１全体の部材を取り外した後の体積が、依然として、大きいスペースを取る。そのため、運送コストが高くなり、また、その頂板１０と層板１１とが、一体成形であるので、モールドや原料コストに、無駄が発生し、上記のような組合せ式収納箪笥１は、高いコストを要するという欠点がある。
【０００４】
特開２００８−２６４１６３号公報（以下、「特許文献１」という。）には、箪笥主体と、層板、連結部材、当接板及び頂板とからなる収納箪笥であって、畳み可能な収納箪笥が記載されているが、畳み合う場合も頂板の大きさにより制限され、依然としてスペースをとるという問題が残されている。
【特許文献１】特開２００８−２６４１６３号公報
【考案の概要】
【考案が解決しようとする課題】
【０００５】
従って、本考案の主な課題は、製造時において、モールドのコストや原料のコストが、低下し、製造コストが低減可能な組合せ式収納箪笥を提供することにある。
【０００６】
本考案の他の課題は、製造して販売所へ運搬するまで、上記収納箪笥が分解された後の全体体積が縮小されて、運送コストが低減される組合せ式収納箪笥を提供することにある。
【課題を解決するための手段】
【０００７】
そこで、本考案者は、前記課題を解決するために鋭意検討を重ねた結果、前記の主な課題については、取り外し可能な仕切り層板の左右層板を完全に同一構造にすることにより、前記課題を解決できることに着目し、また、前記他の課題については、
取り外し可能な仕切り層板を、取り外して、支持フレームと共に各引出し内に収納し、各引出しを互いに畳み合うことにより、達成できることに着目し、かかる知見に基づいて本考案に想到するに至った。
【０００８】
すなわち、本考案の主な目的は、取り外し可能である仕切り層板の左右層板が、完全に同一構造であるため、製造する時、モールドのコストや原料のコストが、低下し、製造コストが低減可能な組合せ式収納箪笥を提供することにある。
【０００９】
本考案の他の目的は、製造して販売所へ運搬するまで、取り外し可能な仕切り層板を、取り外して、支持フレームと共に各引出し内に収納し、そして、各引出しを互いに畳み合い、これにより、上記収納箪笥が分解された後の全体体積が縮小されて、運送コストが低減可能な組合せ式収納箪笥を提供することにある。
【００１０】
かくして、請求項１の考案によれば、仕切り層板と支持フレーム及び引出しからなり、支持フレームの両端の係止縁が、それぞれ、その一つの仕切り層板の外側端の底面に形成してある係止溝ともう一つの仕切り層板の外側端の頂面の係止縁に係止され、これにより、二つの仕切り層板が結合され、また、他の支持フレームにより、より多い仕切り層板が結合され、収納箪笥の全体構造体が形成された後、各仕切り層板間の空間内に引出しが挿設される組合せ式収納箪笥であって、
仕切り層板が、左層板と右層板及び二つの連結部材からなり、左層板と右層板とが、対応した板体で、左層板の右層板と結合する内側端の前後両側に、それぞれ、係止溝が設けられ、その外側端の頂面と底面の前後両側に、それぞれ、対応して、支持フレームの係止縁が係止される係止溝が設けられ、右層板の左層板と結合する内側端の前後両側に、それぞれ、係止溝が設けられ、その外側端の頂面と底面の前後両側に、それぞれ、対応して、支持フレームの係止縁が係止される係止溝が設けられ、連結部材が、その両端に、それぞれ、係止縁が設けられ、二つの連結部材の両端の係止縁が、それぞれ、左層板内側端の前後係止溝と右層板内側端の前後係止溝に挿設されて、左右層板と二つの連結部材が、一つの仕切り層板に結合される
ことを特徴とする組合せ式収納箪笥が提供される。
【００１１】
請求項２の考案によれば、仕切り層板の二つの連結部材が、Ｉ字型の一体連結部材であり、その頂部と底部の両側に、それぞれ、係止縁が設けられ、上記両側係止縁が、それぞれ、左層板の内側端の前後係止溝と右層板の内側端の前後係止溝に挿設されることにより、左層板と右層板に結合されることを特徴とする請求項１に記載の組合せ式収納箪笥が提供される。
【考案の効果】
【００１２】
本考案は、前記の通りの仕切り層
板と支持フレームとの簡素な単位構成からなり、仕切り層板は、左右層板と連結部材を組み合わせたものであり、支持フレームとから容易に全体構造体を形成させることができ、また、畳む際は、引出しに支持フレーム等を収納することができ、小さいスペースとすることができるので、取扱いも容易であり、運送コストを低減することができる。
【考案を実施するための最良の形態】
【００１３】
以下、図面を参照しながら、本考案の特徴や技術内容について、詳しく説明するが、それらの図面等は、参考や説明のためのものであり、本考案は、それらによって限定されるものではない。
本考案に係る組合せ式収納箪笥２は、図３〜図５に示すように、仕切り層板２０と支持フレーム２１及び引出し２２から構成される。仕切り層板２０は、左層板２０１と右層板２０２及び連結部材２０３からなる。左層板２０１と右層板２０２とが、対応する板体であり、左層板２０１において、右層板２０２と結合する内側端の前後両側に、それぞれ、係止溝２０１１が設けられ、その外側端の頂面と底面の前後両側に、それぞれ、対応して、支持フレーム２１が係止される係止溝２０１２、２０１３が設けられる。
【００１４】
右層板２０２において、左層板２０１と結合する内側端の前後両側に、それぞれ、係止溝２０２１が設けられ、その外側端の頂面と底面の前後両側に、それぞれ、対応して、支持フレーム２１が係止される係止溝２０２２、２０２３が設けられる。
連結部材２０３において、その両端に、それぞれ、係止縁２０３１が設けられ、両連結部材２０３の両端の係止縁２０３１が、それぞれ、左層板２０１の内側端の前後の係止溝２０１１と右層板２０２の内側端の前後の係止溝２０２１に挿設されて、左、右層板２０１、２０２と両連結部材２０３が、仕切り層板２０に結合される。支持フレーム２１において、その両端に、それぞれ、係止縁２１０が設けられ、支持フレーム２１の両端にある係止縁２１０が、それぞれ、一つの仕切り層板２０の左、右層板２０１、２０２の外側端の底面に形成してある係止溝２０１３、２０２３ともう一つの仕切り層板２０の左、右層板２０１、２０２の外側端の頂面の係止溝２０１２、２０２２に係止されて、上記二つの仕切り層板２０が、支持フレーム２１により、互いに収納箪笥２の構造体の一部に結合される。
【００１５】
また、必要に応じて、より多い支持フレーム２１で、より多い仕切り層板２０を結合すれば、収納箪笥２の全体構造体が形成され、その後、引出し２２を、仕切り層板２０の間にある空間内に挿設すると、組合せ式収納箪笥２の組合せが終了する。
上記組合せ式収納箪笥２の最も上層の仕切り層板２０の頂面が、更に、閉鎖層板により覆われても良く、また、最上層の仕切り層板２０を、閉鎖層板に取替えることにより、埃が引出し２２へ進入することを防止することができる。
【００１６】
図６に示すように、上記組合せ式収納箪笥２を製造した後、販売所へ運送する時、各仕切り層板２０の左、右層板２０１、２０２と連結部材２０３とを、取り外して引出し２２の内部空間に収納し、そして、各引出し２２を、互いに重ね合わせることにより、最も小さい体積で包装して運送することができる。
【００１７】
図７に示すように、収納箪笥１の組合せ単層仕切り層板２０の二つの連結部材２０３は、Ｉ字型の一体連結部材２０３ａでもよく、その頂部と底部の両側に、それぞれ、係止縁２０３１ａが設けられ、上記両側係止縁２０３１ａを、それぞれ、左層板２０１の内側端の前、後係止溝２０１１と右層板２０２の内側端の前、後係止溝２０２１に挿設することにより、左層板２０１と右層板２０２とに結合される。
【００１８】
以上は、本考案のより良い実施例であり、本考案は、それによって限定されるものではなく、本考案に係わる実用新案登録請求の範囲や明細書の内容に基づいて行った等価の変更や修正は、全てが、本考案の範囲内に含まれる。
【図面の簡単な説明】
【００１９】
【図１】従来の組合せ式収納箪笥の分解斜視図である。
【図２】従来の組合せ式収納箪笥の畳む状態を示す斜視図である。
【図３】本考案の一実施形態による組合せ式収納箪笥の斜視図である。
【図４】本考案の一実施形態による単層収納箪笥の斜視図である。
【図５】本考案の一実施形態による単層収納箪笥の分解斜視図である。
【図６】本考案の一実施形態による組合せ式収納箪笥の畳む状態を示す断面図である。
【図７】本考案の他の実施形態による組合せ式収納箪笥の分解斜視図である。
【符号の説明】
【００２０】
１    組合せ式収納箪笥
１０  頂板
１０１    係止溝
１１  層板
１１０    四角形孔
１１１    係止溝
１１２    係止溝
１２  支持フレーム
１２０    係止縁
１２１    係止縁
１３  引出し
２    組合せ式収納箪笥
２０  仕切り層板
２０１    左層板
２０１１  係止溝
２０１２  係止溝
２０１３  係止溝
２０２    右層板
２０２１  係止溝
２０２２  係止溝
２０２３  係止溝
２０３    連結部材
２０３ａ  連結部材
２０３１  係止縁
２０３１ａ  係止縁
２１  支持フレーム
２１０    係止縁
２２  引出し
【図１】
0003182614.tif 000003
【図２】
0003182614.tif 000004
【図３】
0003182614.tif 000005
【図４】
0003182614.tif 000006
【図５】
0003182614.tif 000007
【図６】
0003182614.tif 000008
【図７】
0003182614.tif 000009